(57)【特許請求の範囲】
【請求項１】
一または複数の手書き入力領域に手書き入力された漢字構成部分であって漢字を構成する一部分である漢字構成部分から入力イメージを作成する手書き入力手段と、
作成された入力イメージと、あらかじめ記憶した漢字構成部分のイメージとを比較し、その比較結果に基づいて漢字構成部分の候補を抽出する部分候補抽出手段と、
抽出された漢字構成部分の候補を表示する部分候補表示手段と、
表示された漢字構成部分の候補から漢字構成部分を選択する部分候補選択手段と、
部分候補選択手段によって選択された漢字構成部分の位置を示す位置情報を決定するための領域であって、前記手書き入力領域とは異なる領域である作成領域を含み、該作成領域中において指定された位置に基づいて前記位置情報を決定する位置決定手段と、
選択された漢字構成部分および決定された位置情報と、あらかじめ漢字とその漢字を構成する漢字構成部分とその漢字構成部分の位置情報とを関連付けて記憶した漢字情報とを比較し、その比較結果に基づいて漢字の候補を抽出する漢字候補抽出手段と、
抽出された漢字の候補を表示する漢字候補表示手段と、
表示された漢字の候補から漢字を選択する漢字候補選択手段とを有し、
前記作成領域は、前記部分候補選択手段によって選択された漢字構成部分を、該作成領域中において指定された位置に、表示するように構成され、
さらに、前記作成領域は、前記部分候補選択手段によって選択された漢字構成部分が複数ある場合、複数の漢字構成部分それぞれについて、該作成領域中においてそれぞれ指定された位置に、同時に表示するように構成されることを特徴とする電子機器。
【請求項２】
部分候補選択手段によって漢字構成部分が選択された後、手書き入力領域内に手書き入力された漢字構成部分を消去する消去手段をさらに有することを特徴とする請求項１に記載の電子機器。
【請求項３】
漢字構成部分ごとに予め１つ以上の位置情報が定められており、位置決定手段は、作成領域中において指定された位置に基づいて、該１つ以上の位置情報の中から１つの位置情報に決定するように構成されることを特徴とする請求項１または２に記載の電子機器。
【請求項４】
請求項１〜３のいずれか１つに記載の電子機器の構成を含む電子辞書装置であって、
前記漢字候補選択手段によって選択された漢字を見出し語として、漢字に関連付けられた詳細情報を表示する詳細情報表示手段を有することを特徴とする電子辞書装置。
【発明の詳細な説明】
【技術分野】
【０００１】
本発明は、漢字入力を必要とする電子機器および電子辞書装置に関する。
【背景技術】
【０００２】
電子辞書装置などの電子機器は、使用者が漢字を含む文字列を電子機器に入力する際に、かな漢字変換機能を用いている場合が多い。かな漢字変換機能とは、使用者が「かな」だけの文字列をキーボードにより入力し、変換キーを押下すると、文字列が自動的に漢字かな混じりの文字列に変換される機能である。「かな」の中には、漢字の「読み」、助詞、助動詞および接続詞などを含む。かな漢字変換機能を用いている電子機器において、使用者が漢字を電子機器に入力する場合、使用者が漢字の「読み」をキーボードにより電子機器に入力し、変換キーを押下する。そして、電子機器が漢字と漢字の「読み」との対応をあらかじめ登録しておいたデータベースに基づいて「読み」に対応する漢字に変換する。そうすることによって、所望の漢字が電子機器に入力される。つまり、使用者が電子機器に漢字を入力する際、使用者がその漢字に対応する「読み」をキーボードから入力する必要があるので、「読み」が不明である漢字を電子機器にかな漢字変換機能を用いて入力することは困難である。
【０００３】
そこで、使用者が「読み」の不明な漢字を入力する場合、電子機器は、かな漢字変換機能以外の手書き入力機能などの機能を用いている必要がある。手書き入力機能を用いている電子機器において、使用者が座標入力用のタブレット上に漢字を手書きで入力する。そして、電子機器が入力された漢字の文字パターンについて文字認識処理を行う。そうすることで、所望の漢字が電子機器に入力される。従来の手書き入力機能を用いている電子機器は、使用者が漢字の１文字全体をタブレット上の所定の一領域内へ手書きで入力することにより、所望の漢字を入力する。だから、使用者が、画数が多く形が複雑である漢字を手書きで入力する場合、形が複雑になっている部分がつぶれてしまい、電子機器が誤認識をし、所望の漢字が入力されないことになってしまう。
【０００４】
このような手書き入力による漢字入力の誤認識に対する対策として、特許文献１および特許文献２に記載の手書き入力装置が提案されている。
【０００５】
特許文献１に記載の手書き入力装置において、使用者が漢字を入力する場合、まず、使用者は漢字の部首のみを手書きで入力する。手書き入力装置は、その手書き入力された部首を認識し、その認識結果を部首の候補として表示する。使用者は部首の候補から所望の部首を選択する。手書き入力装置は選択された部首を有するすべての漢字を候補として表示する。使用者は、表示された候補の中から所望の漢字を選択する。そうすることにより、所望の漢字が手書き入力装置に入力される。特許文献１に記載の手書き入力装置は、使用者が手書き入力装置に漢字の部首のみを手書き入力するので、使用者が漢字全体を手書き入力する従来の手書き入力装置に比べて、誤認識が生じにくい手書き入力装置である。
【０００６】
特許文献２に記載の手書き入力装置において、使用者が漢字を入力する場合、まず、使用者が漢字の部首とその部首の漢字中における位置を特定するための省略文字とを手書き入力する。手書き入力装置は、その省略文字により位置が決定された部首を認識し、その認識結果を部首の候補として表示する。使用者は部首の候補から所望の部首を選択する。手書き入力装置は選択された部首を有するすべての漢字を候補として表示する。使用者は、その候補の中から所望の漢字を選択する。そうすることにより、所望の漢字が手書き入力装置に入力される。特許文献２に記載の手書き入力装置は、使用者が手書き入力装置に漢字の部首と省略文字とを手書き入力するので、使用者が漢字全体を手書き入力する従来の手書き入力装置に比べて、誤認識が生じにくい手書き入力装置である。
【０００７】
しかしながら、特許文献１および特許文献２に記載の手書き入力装置は、手書き入力の際の誤認識は少ないが、選択した部首を有するすべての漢字を候補として表示するので、候補が非常にたくさん存在することがあり、その場合、たくさんの候補から所望の漢字を見つけなければならず、手間がかかってしまう。
【０００８】
このような漢字入力に手間がかかることに対する対策として、特許文献３に記載の情報処理装置および特許文献４に記載の手書き文字認識装置が提案されている。
【０００９】
特許文献３に記載の情報処理装置において、使用者が漢字を入力する場合、まず、使用者が漢字の部首のみを入力枠に手書きで入力する。情報処理装置が、手書き入力された部首の筆跡をそのまま表示し、その筆跡を部首のイメージとして保存する。その保存された部首のイメージを部首用の辞書データに基づいて認識し、その認識結果を筆跡に変えて文字枠にそのまま表示する。使用者は、認識結果が正しい場合は、「確認」のサインを送り、部首の認識結果が表示されている文字枠に部首以外を手書き入力する。情報処理装置は、入力された部首以外と部首イメージとの組み合わせを辞書データに基づいて認識し、その認識結果を文字枠に表示する。使用者は、表示された認識結果が正しい場合は、「確認」のサインを送る。情報処理装置は、認識結果を入力文字として登録する。
【００１０】
特許文献４に記載の手書き文字認識装置において、使用者が漢字を入力する場合、使用者が、漢字を分割した各部分をそれぞれ別の入力枠に手書き入力する。手書き文字認識装置が、手書き入力された文字パターンをデータとして文字パターン群から検索し、一致した文字パターンのインデックスを認識バッファにそのまま格納する。インデックスとは、漢字の部分に対応する数字である。手書き文字認識装置が、１つのインデックスもしくはその組み合わせと一致する漢字を検索し、一致する漢字があれば、それを候補として表示する。使用者は、その候補が正しければ、確定する。確定することによって、所望の漢字が手書き文字認識装置に入力される。
【００１１】
【特許文献１】特開平１１−１５４１９８号公報
【特許文献２】特開平１１−２５００４６号公報
【特許文献３】特開平４−３０３２７９号公報
【特許文献４】特開平７−１２１６６０号公報
【発明の開示】
【発明が解決しようとする課題】
【００１２】
特許文献３で開示されている情報処理装置によると、使用者が漢字を入力する際、使用者が部首と部首以外とに分けて手書き入力することによって、所望の漢字を入力することができる。しかしながら、部首以外の画数が多く形の複雑な漢字を入力する場合、従来の手書き入力による文字入力と同様に、複雑な部分がつぶれてしまうので、誤認識が生じやすい。さらに、部首と部首以外とにしか分けることができないため、部首がどの部分かわからない漢字を入力することが困難である。
【００１３】
特許文献４で開示されている手書き文字認識装置によると、使用者が、部首などの部分ごとに別々の入力枠に手書き入力することによって、所望の漢字を入力することができる。しかしながら、手書き文字認識装置は、使用者に確認することなしに、手書き入力された文字パターンを文字パターン群の文字パターンと一致したものとしてその文字パターンに対応するインデックスを格納してしまうので、所望の文字パターンではないインデックスを格納する場合を生じさせてしまう。さらに、手書き文字認識装置は、格納された１つのインデックスもしくはその組み合わせと一致する漢字がある時に、その漢字を候補として表示するので、一致する漢字がなければ、複数の部分を入力しても表示が行われず、使用者は、確認することができない。また、格納されたインデックスのうち、ひとつでも所望の文字パターンのインデックスと異なっている場合、格納されたインデックスの組み合わせによっては、漢字として成立しない組み合わせとなり、漢字の候補が手書き文字認識装置に表示されないことや、漢字として成立し、候補は表示されるが、所望の漢字が候補として表示されないことになってしまう。したがって、所望の漢字が手書き文字認識装置に表示されない場合、使用者は漢字を入力する操作をはじめから行う必要があり、操作がとても複雑である。
【００１４】
本発明の目的は、「読み」が不明であり形もはっきりと覚えていない漢字を容易に入力することができ、さらに認識率の向上した電子機器および電子辞書装置を提供することである。
【課題を解決するための手段】
【００１５】
本発明は、一または複数の手書き入力領域に手書き入力された漢字構成部分であって漢字を構成する一部分である漢字構成部分から入力イメージを作成する手書き入力手段と、
作成された入力イメージと、あらかじめ記憶した漢字構成部分のイメージとを比較し、その比較結果に基づいて漢字構成部分の候補を抽出する部分候補抽出手段と、
抽出された漢字構成部分の候補を表示する部分候補表示手段と、
表示された漢字構成部分の候補から漢字構成部分を選択する部分候補選択手段と、
部分候補選択手段によって選択された漢字構成部分の位置を示す位置情報を決定するための領域であって、前記手書き入力領域とは異なる領域である作成領域を含み、該作成領域中において指定された位置に基づいて前記位置情報を決定する位置決定手段と、
選択された漢字構成部分および決定された位置情報と、あらかじめ漢字とその漢字を構成する漢字構成部分とその漢字構成部分の位置情報とを関連付けて記憶した漢字情報とを比較し、その比較結果に基づいて漢字の候補を抽出する漢字候補抽出手段と、
抽出された漢字の候補を表示する漢字候補表示手段と、
表示された漢字の候補から漢字を選択する漢字候補選択手段とを有し、
前記作成領域は、前記部分候補選択手段によって選択された漢字構成部分を、該作成領域中において指定された位置に、表示するように構成され、
さらに、前記作成領域は、前記部分候補選択手段によって選択された漢字構成部分が複数ある場合、複数の漢字構成部分それぞれについて、該作成領域中においてそれぞれ指定された位置に、同時に表示するように構成されることを特徴とする電子機器である。
【００１６】
また本発明は、部分候補選択手段によって漢字構成部分が選択された後、手書き入力領域内に手書き入力された漢字構成部分を消去する消去手段をさらに有することを特徴とする。
【００１７】
また本発明は、漢字構成部分ごとに予め１つ以上の位置情報が定められており、位置決定手段は、作成領域中において指定された位置に基づいて、該１つ以上の位置情報の中から１つの位置情報に決定するように構成されることを特徴とする。
【００１８】
また本発明は、上記の電子機器の構成を含む電子辞書装置であって、
前記漢字候補選択手段によって選択された漢字を見出し語として、漢字に関連付けられた詳細情報を表示する詳細情報表示手段を有することを特徴とする電子辞書装置である。
【発明の効果】
【００１９】
本発明によれば、電子機器は、一または複数の手書き入力領域を有しており、使用者は、その手書き入力領域に漢字構成部分を手書き入力する。具体的には、使用者が、タッチパネルなどを用い、タッチペンで漢字構成部分を手書き入力する。漢字構成部分とは、たとえば、旁、偏、冠および脚などの部首部分であることにこだわらず、漢字を構成し分割することができる一部分である。手書き入力手段は、手書き入力領域に手書き入力された漢字構成部分の入力イメージを作成する。そして、部分候補抽出手段は、作成された入力イメージとあらかじめ記憶した漢字構成部分のイメージとを比較し、その比較結果に基づいて、漢字構成部分を候補として抽出すると、部分候補表示手段は、抽出された漢字構成部分の候補を表示する。
【００２０】
使用者が、表示された漢字構成部分の候補から所望の漢字構成部分を選択するために、部分候補選択手段を用いて、所望の漢字構成部分を選択する。具体的には、上記のようにタッチパネルを用いた場合には、使用者が、タッチペンで所望の漢字構成部分をタッチすることにより、所望の漢字構成部分を選択する。位置決定手段は、作成領域中において指定された位置に基づいて位置情報を決定する。漢字候補抽出手段は、選択された漢字構成部分および決定された位置情報と、あらかじめ漢字とその漢字を構成する漢字構成部分およびその漢字構成部分の位置情報とを関連付けて記憶した漢字情報とを比較し、その比較結果に基づいて漢字の候補を抽出する。漢字候補表示手段は、抽出された漢字の候補を表示する。
【００２１】
使用者が、表示された漢字の候補から所望の漢字を選択するために、漢字候補選択手段を用いて、所望の漢字を選択する。具体的には、部分候補選択手段の場合と同様に、使用者が、タッチペンで所望の漢字をタッチすることにより、所望の漢字を選択する。そうすることで所望の漢字が電子機器に入力される。
【００２２】
また、部分候補選択手段を用いて選択する所望の漢字構成部分は、漢字構成部分の候補のすべてである必要はなく、漢字構成部分の候補の一部でもよい。
さらに、手書き入力する漢字構成部分は、複数である必要はなく、１つでもよい。
【００２３】
このことより、使用者が電子機器に漢字を入力する際、使用者が電子機器に手書きで入力するのは、漢字構成部分であり、漢字構成部分は漢字の一部分で形が単純であるので、画数が多く形の複雑な漢字であっても、誤認識が少ない。さらに、電子機器に手書き入力された漢字構成部分は、漢字構成部分の候補として表示され、使用者は、表示された漢字構成部分の候補から所望の漢字構成部分を選択することができるので、誤認識が少なくなる。
【００２４】
また、手書き入力する漢字構成部分は、形のわかる漢字構成部分のみであり、部首部分であるかどうかをこだわる必要がないので、「読み」が不明であり部首部分のわからない形のはっきりと覚えていない漢字を使用者は電子機器に入力することができる。
【００２５】
以上のように「読み」が不明であり形もはっきりと覚えていない漢字を容易に入力することができ、さらに認識率の向上した電子機器を提供することができる。
【００２７】
また本発明によれば、消去手段は、手書き入力領域内に手書き入力された漢字構成部分を消去する。消去手段によって、消去された手書き入力領域内に漢字構成部分を手書き入力することができる。
【００３２】
また本発明によれば、漢字構成部分ごとに予め１つ以上の位置情報が定められており、位置決定手段は、作成領域中において指定された位置に基づいて、該１つ以上の位置情報の中から１つの位置情報に決定するように構成される。
【００３３】
このことによって、所望の漢字を選択しやすくなる。
【００３４】
また本発明によれば、上記の電子機器の構成を含む電子辞書装置であり、詳細情報表示手段は、前記漢字候補選択手段によって選択された漢字を見出し語として、漢字に関連付けられた詳細情報を表示する。このことによって、入力された漢字に関連付けられた詳細情報が表示することができる。詳細情報とは、総画数、部首、区点コード、ＪＩＳ
（Japanese Industrial Standards）コード、シフトＪＩＳコード、音読み、訓読み、意味、熟語などである。
【発明を実施するための最良の形態】
【００３５】
本実施形態では、電子機器の１つとして電子辞書装置について説明する。
図１は、本発明の実施の一形態である電子辞書装置１の外観図である。電子辞書装置１は、装置本体２とタッチペン８とで構成されており、装置本体２には、表示部３、ファンクションキー４、文字キー５、電源キー６および検索キー７を備えている。表示部３は、ＬＣＤ（液晶表示装置）などで実現され、メニュー画面、入力された文字列および検索結果などを表示する。また、表示部３の表面上に透明なタッチパネルを配置しており、座標入力を行うことが可能である。ファンクションキー４は、たとえば、漢和辞書キーや中日辞書キーなどを含み、手書き入力によって入力された漢字の読みおよび意味などの情報を表示する漢和辞書モードや手書き入力によって入力された中国語の読みおよび意味などの情報を表示する中日辞書モードなどの各種動作モードを選択する際に操作される。文字キー５は、アルファベットキーなどであり、検索する文字列などをたとえばロ−マ字入力方式などで入力する際に操作される入力キーである。電源キー６は、電子辞書装置１の電源をオンおよびオフにするときに操作される。検索キー７は、入力した文字列などにより検索した検索結果を表示する際に操作される。タッチペン８は、表示部３上で座標入力などを行う際に用いられる。
【００３６】
図２は、電子辞書装置１の電気的構成を示すブロック図である。電子辞書装置１は、マイクロプロセッサ１６、表示部３、キー入力部１８およびタッチパネル１９を有する。マイクロプロセッサ１６は、ＣＰＵ（Central Processing Unit）１０、手書き認識部１１、ＲＯＭ（Read Only Memory）１２、ＲＡＭ（Random Access Memory）１３、表示制御部１４および入力制御部１５を有し、ワンチップで構成されている。表示部３は、メニュー画面、入力された文字列および検索結果などを表示する。キー入力部１８は、文字列の入力や制御コマンドの入力などを行うために操作され、図１のファンクションキー４、文字キー５、電源キー６および検索キー７に相当する。タッチパネル１９は、表示部３と一体化されており、図１の表示部３上にタッチペン８で手書き入力することにより、座標入力を行うために操作される。入力制御部１５は、キー入力部１８およびタッチパネル１９により入力された情報をＣＰＵ１０に伝える。表示制御部１４は、ＣＰＵ１０から伝えられた情報を表示部３に表示させる。ＲＯＭ１２は、漢字構成部分のイメージ、漢字情報および詳細情報を保存する。手書き認識部１１は、タッチパネル１９により座標入力された入力イメージを作成し、作成した入力イメージをＲＯＭ１２に保存されているデータに基づいて抽出し、その抽出結果をＲＡＭ１３に保存する。
【００３７】
本発明の第１の実施形態として、複数の手書き入力領域を有する電子辞書装置１について説明する。
【００３８】
図３は、第１の実施形態である電子辞書装置１における漢和辞書モードの初期画面の表示例である。使用者が図１のファンクションキー４の１つである漢和辞書キーを押下すると、図１の表示部３に複数の手書き入力領域２０、手書き入力領域２０の直上にそれぞれ漢字構成部分候補表示領域２１、手書き入力領域２０の右にそれぞれスクロールボタン２６が表示される。さらに決定キー２２、検索キー２３、作成領域２４、漢字候補表示領域２５およびスクロールボタン２７が表示される。
【００３９】
第１の実施形態である電子辞書装置１に見出し語である漢字を入力する操作を説明する。見出し語とは、電子辞書装置が情報を検索するための項目である。第1の実施形態である電子辞書装置１において、使用者が、複数の漢字構成部分をそれぞれ別の手書き入力領域２０に手書き入力すると、漢字構成部分候補表示領域２１に漢字構成部分の候補が表示される。使用者は、表示された漢字構成部分の候補から漢字構成部分を選択し、選択された漢字構成部分を作成領域２４に移動することによって、漢字を入力することができる。漢字構成部分とは、旁、偏、冠および脚などの部首部分であることにこだわらず、漢字を構成し分割することができる一部分であり、たとえば、「藷」という漢字を入力する場合、「ごんべん」、「くさかんむり」および「おいがしら」などである。
【００４０】
手書き入力手段は、ＣＰＵ１０、手書き認識部１１、ＲＯＭ１２、ＲＡＭ１３、入力制御部１５およびタッチパネル１９により構成する。部分候補抽出手段は、ＣＰＵ１０、ＲＯＭ１２およびＲＡＭ１３により構成する。部分候補表示手段、漢字候補表示手段および詳細情報表示手段は、表示部３である。部分候補選択手段は、ＣＰＵ１０、ＲＯＭ１２、ＲＡＭ１３およびタッチパネル１９により構成する。漢字候補抽出手段は、ＣＰＵ１０、ＲＯＭ１２およびＲＡＭ１３により構成する。漢字候補選択手段は、ＣＰＵ１０、ＲＯＭ１２、ＲＡＭ１３およびタッチパネル１９により構成する。位置決定手段は、ＣＰＵ１０、手書き認識部１１、ＲＯＭ１２、ＲＡＭ１３、入力制御部１５およびタッチパネル１９により構成する。なお、本発明は、タッチパネル１９に限らず、マウスなどを用いてもよい。さらに、タッチパネル１９およびマウスなどのような接触型の入力装置でなく、非接触型の入力装置でもよい。
【００４１】
図４は、第１の漢字構成部分の候補を漢字構成部分候補表示領域２１ａに表示する操作を説明する図である。図４（ａ）に示すように、使用者は、手書き入力領域２０ａに第１の漢字構成部分である「ごんべん」の部分をタッチペン８で手書き入力する。図４（ｂ）に示すように、使用者は、タッチペン８で決定キー２２をタッチすると、第１の漢字構成部分である「ごんべん」の部分を手書き入力した手書き入力領域２０ａの直上にある漢字構成部分候補表示領域２１ａに第１の漢字構成部分の候補が表示される。なお、第１の漢字構成部分の候補が、漢字構成部分候補表示領域２１ａの表示可能範囲を超えて存在する時は、使用者が、スクロールボタン２６ａをタッチペン８でタッチすることにより、漢字構成部分候補表示領域２１ａに表示されている第１の漢字構成部分の候補をスクロールさせ、表示されていない第１の漢字構成部分の候補を表示させることができる。つまり、所望の漢字構成部分である「ごんべん」が表示されていない時は、スクロールボタン２６ａを用いて所望の漢字構成部分である「ごんべん」を表示させる。
【００４２】
図５は、第２の漢字構成部分の候補を漢字構成部分候補表示領域２１ｂに表示する操作を説明する図である。図５（ａ）に示すように、使用者は、手書き入力領域２０ｂに第２の漢字構成部分である「くさかんむり」の部分をタッチペン８で手書き入力する。図５（ｂ）に示すように、使用者は、タッチペン８で決定キー２２をタッチすると、第２の漢字構成部分である「くさかんむり」の部分を手書き入力した手書き入力領域２０ｂの直上にある漢字構成部分候補表示領域２１ｂに第２の漢字構成部分の候補が表示される。なお、第２の漢字構成部分の候補が、漢字構成部分候補表示領域２１ｂの表示可能範囲を超えて存在する時は、使用者が、スクロールボタン２６ｂをタッチペン８でタッチすることにより、漢字構成部分候補表示領域２１ｂに表示されている第１の漢字構成部分の候補をスクロールさせ、表示されていない第２の漢字構成部分の候補を表示させることができる。つまり、所望の漢字構成部分である「くさかんむり」が表示されていない時は、スクロールボタン２６ｂを用いて所望の漢字構成部分である「くさかんむり」を表示させる。
【００４３】
図６は、第３の漢字構成部分の候補を漢字構成部分候補表示領域２１ｃに表示する操作を説明する図である。図６（ａ）に示すように、使用者は、手書き入力領域２０ｃに第３の漢字構成部分である「おいがしら」の部分をタッチペン８で手書き入力する。図６（ｂ）に示すように、使用者は、タッチペン８で決定キー２２をタッチすると、第３の漢字構成部分である「おいがしら」の部分を手書き入力した手書き入力領域２０ｃの直上にある漢字構成部分候補表示領域２１ｃに第３の漢字構成部分の候補が表示される。なお、第３の漢字構成部分の候補が、漢字構成部分候補表示領域２１ｃの表示可能範囲を超えて存在する時は、使用者が、スクロールボタン２６ｃをタッチペン８でタッチすることにより、漢字構成部分候補表示領域２１ｃに表示されている第３の漢字構成部分の候補をスクロールさせ、表示されていない第３の漢字構成部分の候補を表示させることができる。つまり、所望の漢字構成部分である「おいがしら」が表示されていない時は、スクロールボタン２６ｃを用いて所望の漢字構成部分である「おいがしら」を表示させる。
【００４４】
図７は、第１の漢字構成部分を漢字構成部分候補表示領域２１ａから作成領域２４へ移動する操作を説明する図である。図７（ａ）に示すように、使用者は、漢字構成部分候補表示領域２１ａから第１の漢字構成部分である「ごんべん」を選択し、タッチペン８で作成領域２４上の所望の位置である偏の位置までドラッグすることにより、第１の漢字構成部分である「ごんべん」が作成領域２４上の所望の位置である偏の位置に移動される。また、このような使用者がドラッグすることにより移動させる代わりに、使用者が漢字構成部分候補表示領域２１ａにある第１の漢字構成部分である「ごんべん」をタッチペン８でタッチした後、作成領域２４上の所望の位置である偏の位置でもう一度、タッチペン８でタッチして移動させるようにしてもよい。図７（ｂ）に示すように、作成領域２４上の所望の位置に第１の漢字構成部分を表示することができる。つまり、「ごんべん」を作成領域２４上の偏の位置に表示することができる。
【００４５】
図８は、作成領域２４を拡大した概念図である。作成領域２４は、複数の認識領域２８ａ，２８ｂ，２８ｃ，２８ｄ，２８ｅ，２８ｆ，２８ｇ，２８ｈ，２８ｉを有する。使用者が、漢字構成部分候補表示領域２１から作成領域２４に漢字構成部分をタッチペン８でドラッグして離すもしくはタッチペン８でタッチすると、漢字構成部分は漢字構成部分候補表示領域２１から作成領域２４に移動される。その際、選択された漢字構成部分は、使用者が、タッチペン８を離したもしくはタッチペン８をタッチした位置である認識領域２８ａ，２８ｂ，２８ｃ，２８ｄ，２８ｅ，２８ｆ，２８ｇ，２８ｈ，２８ｉに基づいて所定の位置に表示される。
【００４６】
たとえば、使用者が「言」を２８ａ，２８ｂもしくは２８ｃ上でタッチペン８を離すもしくはタッチペン８でタッチすると、「言」が作成領域２４の左側の位置（「ごんべん」）に移動され、その位置で「ごんべん」が表示される。
【００４７】
この場合、使用者が間違った位置でタッチペン８を離してしまうもしくはタッチペン８をタッチしてしまうことにより、漢字構成部分が、間違った位置に表示されるおそれがある。そこで、各漢字構成部分は、漢字構成部分ごとに作成領域２４に表示できる位置を決めておく。使用者が漢字構成部分を移動させる際、タッチペン８を離したもしくはタッチペン８をタッチした位置が漢字構成部分の表示できる位置ではなかった場合、漢字構成部分ごとに決められた表示できる位置の中で、最も近い位置に表示させる。なお、漢字構成部分とその位置との関係は、ＲＯＭ１２に保存しておく。
【００４８】
図９は、第２の漢字構成部分を漢字構成部分候補表示領域２１ｂから作成領域２４へ移動する操作を説明する図である。図９（ａ）に示すように、使用者は、漢字構成部分候補表示領域２１ｂから第２の漢字構成部分である「くさかんむり」を選択し、タッチペン８で作成領域２４上の所望の位置である冠の位置までドラッグすることにより、第２の漢字構成部分である「くさかんむり」が作成領域２４上の所望の位置である冠の位置に移動される。また、このような使用者がドラッグすることにより移動させる代わりに、使用者が漢字構成部分候補表示領域２１ｂにある第２の漢字構成部分である「くさかんむり」をタッチペン８でタッチした後、作成領域２４上の所望の位置である冠の位置でもう一度、タッチペン８でタッチして移動させるようにしてもよい。図９（ｂ）に示すように、作成領域２４上の所望の位置に第２の漢字構成部分を表示することができる。つまり、「くさかんむり」を作成領域２４上の冠の位置に表示することができる。
【００４９】
図１０は、第３の漢字構成部分を漢字構成部分候補表示領域２１ｃから作成領域２４へ移動する操作を説明する図である。図１０（ａ）に示すように、使用者は、漢字構成部分候補表示領域２１ｃから第３の漢字構成部分である「おいがしら」を選択し、タッチペン８で作成領域２４上の所望の位置である旁の位置までドラッグすることにより、第３の漢字構成部分である「おいがしら」が作成領域２４上の所望の位置である旁の位置に移動される。また、このような使用者がドラッグすることにより移動させる代わりに、使用者が漢字構成部分候補表示領域２１ｃにある第３の漢字構成部分である「おいがしら」をタッチペン８でタッチした後、作成領域２４上の所望の位置である旁の位置でもう一度、タッチペン８でタッチして移動させるようにしてもよい。図１０（ｂ）に示すように、作成領域２４上の所望の位置に第３の漢字構成部分を表示することができる。つまり、「おいがしら」を作成領域２４上の旁の位置に表示することができる。
【００５０】
図１１は、漢字候補表示領域２５に漢字の候補を表示する操作を説明する図である。使用者は、作成領域２４に複数の漢字構成部分である「ごんべん」「くさかんむり」および「おいがしら」を表示させた後、タッチペン８で検索キー２３をタッチすると、作成領域２４に表示された漢字構成部分である「ごんべん」「くさかんむり」および「おいがしら」に基づいて、電子辞書装置は、それらと一致する漢字もしくは近い漢字を漢字の候補として漢字候補表示領域２５に表示させる。
【００５１】
図１２は、漢字候補表示領域２５に表示されている見出し語である漢字の詳細情報を表示する方法を説明する図である。使用者は、漢字候補表示領域２５に表示されている漢字候補から所望の漢字である「藷」をタッチペン８でタッチすると、電子辞書装置はその漢字である「藷」に対する詳細情報が表示部３に表示させる。
【００５２】
図１３は、表示部３に見出し語である漢字の詳細情報を表示させた表示例である。ＲＯＭ１２に保存されている詳細情報に基づいて、「藷」の詳細情報が表示される。詳細情報とは、図１３に示すように、総画数が１８画、部首が「くさかんむり」、区点が２９８３、ＪＩＳコードが３Ｄ７３、シフトＪＩＳコードが８Ｆ９３、音読みがショ、ジョ、訓読みがなし、意味がいも、熟語が甘藷であるなどの情報である。
【００５３】
本発明の第１の実施形態である電子辞書装置に「藷」という漢字を入力する際、上記のように複数の漢字構成部分に基づいて入力するのではなく、漢字構成部分のひとつである「ごんべん」のみに基づいて入力する操作を説明する。
【００５４】
図１４は、漢字候補表示領域２５に漢字候補を表示する操作を説明する図である。図１４（ａ）に示すように、作成領域２４に漢字構成部分のひとつである「ごんべん」を移動させた後、使用者は、タッチペン８で検索キー２３をタッチする。図１４（ｂ）に示すように、作成領域２４に移動させた漢字構成部分である「ごんべん」を有する漢字の候補が漢字候補表示領域２５に表示される。「ごんべん」を有する漢字の候補が漢字候補表示領域２５の表示可能範囲を超えて存在する場合、図１４（ｃ）に示すように、使用者が、スクロールボタン２７をタッチペン８でタッチすることにより、漢字候補表示領域２５に表示されている漢字の候補をスクロールさせ、表示されていない漢字の候補を表示させることができる。つまり、所望の漢字である「藷」が表示されていない時は、スクロールボタン２７を用いて所望の漢字である「藷」を表示させる。
【００５５】
図１５は、漢字候補表示領域２５に表示されている見出し語である漢字の詳細情報を表示する方法を説明する図である。使用者は、漢字候補表示領域２５に表示されている漢字候補から所望の漢字である「藷」をタッチペン８でタッチすると、図１３と同様に、その漢字に対する詳細情報が表示部３に表示される。
【００５６】
図１６は、第１の実施形態である電子辞書装置１の見出し語である漢字を入力する際のフローチャートである。図３で説明した漢和辞書キーを押下する操作によって、ステップＡ１の処理が行われる。ステップＡ１では、使用者によって漢和辞書キーが入力されると、ＣＰＵ１０は、表示部３に漢字辞書モードの初期画面を表示させる。
【００５７】
図４、図５および図６で説明した漢字構成部分を手書き入力する操作によって、ステップＡ２からステップＡ７の処理が行われる。ステップＡ２では、使用者によって手書き入力領域２０上のタッチパネルに漢字構成部分が手書き入力されると、タッチパネルは、手書き入力された漢字構成部分を座標に変換する。手書き認識部１１は、変換された座標から入力イメージを作成する。ステップＡ３では、使用者によって決定キーが入力されると、ＣＰＵ１０は作成された入力イメージをＲＡＭ１３に保存させる。ステップＡ４では、ＣＰＵ１０は保存された入力イメージとＲＯＭ１２にあらかじめ記憶した漢字構成部分のイメージとを比較し、その比較結果に基づいて、漢字構成部分の候補を抽出させる。ステップＡ５では、漢字構成部分の候補が抽出されれば、ステップＡ６に進む。漢字構成部分の候補が抽出されなければ、ステップＡ１８に進み、ＣＰＵ１０は、表示部３に“認識できません”と表示させる。その後、ステップＡ２に戻る。ステップＡ６では、ＣＰＵ１０は漢字構成部分の候補をＲＡＭ１３に保存させる。ステップＡ７では、ＣＰＵ１０は、保存された漢字構成部分の候補を漢字構成部分候補表示領域２１に表示させる。
【００５８】
図７、図９および図１０で説明した漢字構成部分を移動する操作によって、ステップＡ８およびステップＡ９の処理が行われる。ステップＡ８では、使用者が、漢字構成部分を表示された漢字構成部分の候補からタッチペン８を用いてドラッグもしくはタッチして移動することによって、漢字構成部分を選択し、ステップＡ９に進む。使用者が、漢字構成部分を選択しなければ、ステップＡ２に戻る。つまり、手書き入力領域２０は、別の領域に手書き入力をさせることができる状態になる。ステップＡ９では、ＣＰＵ１０は、使用者によって移動された漢字構成部分の位置に基づいて、漢字構成部分の位置情報を決定し、漢字構成部分を作成領域２４に表示させる。位置情報とは、漢字とその漢字を構成する漢字構成部分の位置を示す情報である。
【００５９】
図１１および図１４で説明した検索キーを押下する操作によって、ステップＡ１０からステップＡ１４の処理が行われる。ステップＡ１０では、使用者によって検索キーが入力されれば、ＣＰＵ１０は表示された漢字構成部分をＲＡＭ１３に保存させ、ステップＡ１１に進む。入力されなければ、ステップＡ８に戻る。つまり、図１１のように作成領域２４に表示されている漢字構成部分が複数の場合でもよいし、図１４のように作成領域２４に表示されている漢字構成部分がひとつの場合でもよい。ステップＡ１１では、ＣＰＵ１０は、ＲＡＭ１３に保存された漢字構成部分および決定された位置情報と、ＲＯＭ１２にあらかじめ記憶した漢字情報とを比較して、その比較結果に基づいて、漢字の候補を抽出させる。漢字情報とは、漢字とその漢字を構成する漢字構成部分および漢字構成部分の位置情報により構成されている。ステップＡ１２では、漢字の候補が抽出されれば、ステップＡ１３に進む。漢字の候補が抽出されなければ、ステップＡ１９に進み、ＣＰＵ１０は、表示部３に“該当漢字無し”と表示させる。その後、ステップＡ２に戻る。ステップＡ１３では、ＣＰＵ１０は、抽出された漢字の候補をＲＡＭ１３に保存させる。ステップＡ１４では、ＣＰＵ１０は、保存された漢字の候補を漢字候補表示領域２５に表示させる。
【００６０】
図１２および図１５で説明した漢字を選択する操作によって、ステップＡ１５からステップＡ１７の処理が行われる。ステップＡ１５では、使用者によって漢字候補の中から漢字を選択されれば、ステップＡ１６に進む。漢字を選択されなければ、ステップＡ２に戻る。ステップＡ１６では、ＣＰＵ１０は、選択された漢字を見出し語として、ＲＯＭ１２にあらかじめ記憶しておいた漢字に関連付けられた詳細情報から漢字の詳細情報を読み出させる。ステップＡ１７では、ＣＰＵ１０は、図１３に示したように読み出された漢字の詳細情報を表示部３に表示させる。
【００６１】
以上のように、第１の実施形態である電子辞書装置１において、漢字を入力する際、使用者は、漢字構成部分を手書き入力し、電子辞書装置１に表示された漢字構成部分の候補などを選択、移動などをすることによって、漢字を入力することができる。
【００６２】
このことより、使用者が電子機器に漢字を入力する際、使用者が電子機器に手書きで入力するのは、漢字構成部分であり、漢字構成部分は漢字の一部分で形が単純であるので、画数が多く形の複雑な漢字であっても、誤認識が少ない。さらに、電子機器に手書き入力された漢字構成部分は、漢字構成部分の候補として表示され、使用者は、表示された漢字構成部分の候補から所望の漢字構成部分を選択することができるので、誤認識が少なくなる。
【００６３】
また、手書き入力する漢字構成部分は、形のわかる漢字構成部分のみであり、部首部分であるかどうかをこだわる必要がないので、「読み」が不明であり部首部分のわからない形のはっきりと覚えていない漢字を使用者は電子機器に入力することができる。
【００６４】
以上のように「読み」が不明であり形もはっきりと覚えていない漢字を容易に入力することができ、さらに認識率の向上した電子機器を提供することができる。
【００６５】
本発明の第２の実施形態として、１つの手書き入力領域３０を有する電子辞書装置１について説明する。１つの手書き入力領域によって漢字構成部分を入力する動作以外は、第１の実施形態と同じ構成である。
【００６６】
図１７は、第２の実施形態である電子辞書装置１における漢和辞書モードの初期画面の表示例である。使用者が、図１のファンクションキー４の１つである漢和辞書キーを押下すると、図１の表示部３に手書き入力領域３０、手書き入力領域３０の直上に漢字構成部分候補表示領域３１、手書き入力領域３０の右にスクロールボタン３６が表示される。さらに決定キー３２、検索キー３３、作成領域３４、漢字候補表示領域３５およびスクロールボタン３７が表示される。
【００６７】
第２の実施形態である電子辞書装置１に見出し語である漢字を入力する操作を説明する。第２の実施形態である電子辞書装置１において、使用者が、１つの漢字構成部分を手書き入力領域３０に手書き入力すると、漢字構成部分候補表示領域３１に漢字構成部分の候補が表示される。使用者は、表示された漢字構成部分の候補から漢字構成部分を選択し、選択された漢字構成部分を作成領域２４に移動する。その後、手書き入力領域３０内の手書き入力した漢字構成部分が消去される。これらの操作を繰り返すことによって、漢字を入力することができる。消去手段は、ＣＰＵ１０、ＲＯＭ１２およびＲＡＭ１３により構成する。
【００６８】
図１８は、第１の漢字構成部分の候補を漢字構成部分候補表示領域３１に表示する操作を説明する図である。図１８（ａ）に示すように、使用者は、手書き入力領域３０に第１の漢字構成部分である「ごんべん」の部分をタッチペン８で手書き入力する。図１８（ｂ）に示すように、使用者は、タッチペン８で決定キー３２をタッチすると、第１の漢字構成部分である「ごんべん」の部分を手書き入力した手書き入力領域３０の直上にある漢字構成部分候補表示領域３１に第１の漢字構成部分の候補が表示される。なお、第１の漢字構成部分の候補が、漢字構成部分候補表示領域３１の表示可能範囲を超えて存在する時は、使用者が、スクロールボタン３６をタッチペン８でタッチすることにより、漢字構成部分候補表示領域３１に表示されている第１の漢字構成部分の候補をスクロールさせ、表示されていない第１の漢字構成部分の候補を表示させることができる。つまり、所望の漢字構成部分である「ごんべん」が表示されていない時は、スクロールボタン３６を用いて所望の漢字構成部分である「ごんべん」を表示させる。
【００６９】
図１９は、第１の漢字構成部分を漢字構成部分候補表示領域３１から作成領域３４へ移動する操作を説明する図である。図１９（ａ）に示すように、使用者は、漢字構成部分候補表示領域３１から第１の漢字構成部分である「ごんべん」を選択し、タッチペン８で作成領域３４上の所望の位置である偏の位置までドラッグすることにより、第１の漢字構成部分である「ごんべん」が作成領域３４上の所望の位置である偏の位置に移動される。また、このような使用者がドラッグすることにより移動させる代わりに、使用者が漢字構成部分候補表示領域３１にある第１の漢字構成部分である「ごんべん」をタッチペン８でタッチした後、作成領域３４上の所望の位置である偏の位置でもう一度、タッチペン８でタッチして移動させるようにしてもよい。図７（ｂ）に示すように、作成領域３４上の所望の位置に第１の漢字構成部分を表示することができる。つまり、「ごんべん」を作成領域３４上の偏の位置に表示することができる。その後、図１９（ｃ）に示すように、電子辞書装置は、手書き入力領域３０および漢字構成部分候補表示領域３１の表示を消去する。つまり、電子辞書装置は、手書き入力領域３０に新たに入力できるようになる。
【００７０】
図２０は、第２の漢字構成部分の候補を漢字構成部分候補表示領域３１に表示する操作を説明する図である。図２０（ａ）に示すように、使用者は、手書き入力領域３０に第２の漢字構成部分である「くさかんむり」の部分をタッチペン８で手書き入力する。図２０（ｂ）に示すように、使用者は、タッチペン８で決定キー３２をタッチすると、第２の漢字構成部分である「くさかんむり」の部分を手書き入力した手書き入力領域３０の直上にある漢字構成部分候補表示領域３１に第２の漢字構成部分の候補が表示される。なお、第２の漢字構成部分の候補が、漢字構成部分候補表示領域３１の表示可能範囲を超えて存在する時は、使用者が、スクロールボタン３６をタッチペン８でタッチすることにより、漢字構成部分候補表示領域３１に表示されている第１の漢字構成部分の候補をスクロールさせ、表示されていない第２の漢字構成部分の候補を表示させることができる。つまり、所望の漢字構成部分である「くさかんむり」が表示されていない時は、スクロールボタン３６を用いて所望の漢字構成部分である「くさかんむり」を表示させる。
【００７１】
図２１は、第２の漢字構成部分を漢字構成部分候補表示領域３１から作成領域３４へ移動する操作を説明する図である。図２１（ａ）に示すように、使用者は、漢字構成部分候補表示領域３１から第２の漢字構成部分である「くさかんむり」を選択し、タッチペン８で作成領域３４上の所望の位置である冠の位置までドラッグすることにより、第２の漢字構成部分である「くさかんむり」が作成領域３４上の所望の位置である冠の位置に移動される。また、このような使用者がドラッグすることにより移動させる代わりに、使用者が漢字構成部分候補表示領域３１にある第２の漢字構成部分である「くさかんむり」をタッチペン８でタッチした後、作成領域３４上の所望の位置である冠の位置でもう一度、タッチペン８でタッチして移動させるようにしてもよい。図９（ｂ）に示すように、作成領域３４上の所望の位置に第２の漢字構成部分を表示することができる。つまり、「くさかんむり」を作成領域３４上の冠の位置に表示することができる。その後、図２３（ｃ）に示すように、電子辞書装置は手書き入力領域３０および漢字構成部分候補表示領域３１の表示を消去する。つまり、電子辞書装置は手書き入力領域３０に新たに入力できるようになる。
【００７２】
図２２は、第３の漢字構成部分の候補を漢字構成部分候補表示領域３１に表示する操作を説明する図である。図２２（ａ）に示すように、使用者は、手書き入力領域３０に第３の漢字構成部分である「おいがしら」の部分をタッチペン８で手書き入力する。図２２（ｂ）に示すように、使用者は、タッチペン８で決定キー３２をタッチすると、第３の漢字構成部分である「おいがしら」の部分を手書き入力した手書き入力領域３０の直上にある漢字構成部分候補表示領域３１に第３の漢字構成部分の候補が表示される。なお、第３の漢字構成部分の候補が、漢字構成部分候補表示領域３１の表示可能範囲を超えて存在する時は、使用者が、スクロールボタン３６をタッチペン８でタッチすることにより、漢字構成部分候補表示領域３１に表示されている第３の漢字構成部分の候補をスクロールさせ、表示されていない第３の漢字構成部分の候補を表示させることができる。つまり、所望の漢字構成部分である「おいがしら」が表示されていない時は、スクロールボタン３６を用いて所望の漢字構成部分である「おいがしら」を表示させる。
【００７３】
図２３は、第３の漢字構成部分を漢字構成部分候補表示領域３１から作成領域３４へ移動する操作を説明する図である。図２３（ａ）に示すように、使用者は、漢字構成部分候補表示領域３１から第３の漢字構成部分である「おいがしら」を選択し、タッチペン８で作成領域３４上の所望の位置である旁の位置までドラッグすることにより、第３の漢字構成部分である「おいがしら」が作成領域３４上の所望の位置である旁の位置に移動される。また、このような使用者がドラッグすることにより移動させる代わりに、使用者が漢字構成部分候補表示領域３１にある第３の漢字構成部分である「おいがしら」をタッチペン８でタッチした後、作成領域３４上の所望の位置である旁の位置でもう一度、タッチペン８でタッチして移動させるようにしてもよい。図２３（ｂ）に示すように、作成領域３４上の所望の位置に第３の漢字構成部分を表示することができる。つまり、「おいがしら」を作成領域２４上の旁の位置に表示することができる。その後、図２３（ｃ）に示すように、電子辞書装置は手書き入力領域３０および漢字構成部分候補表示領域３１の表示を消去する。つまり、電子辞書装置は手書き入力領域３０に新たに入力できるようになる。
【００７４】
図２４は、漢字候補表示領域３５に漢字候補を表示する操作を説明する図である。使用者は、作成領域３４に複数の漢字構成部分である「ごんべん」「くさかんむり」および「おいがしら」を表示させた後、タッチペン８で検索キー３３をタッチすると、作成領域３４に表示された位置の決定された漢字構成部分である「ごんべん」「くさかんむり」および「おいがしら」に基づいて、電子辞書装置は、それらと一致する漢字もしくは近い漢字を漢字の候補として漢字候補表示領域３５に表示させる。
【００７５】
図２５は、漢字候補表示領域３５に表示されている漢字の詳細情報を表示する方法を説明する図である。使用者は、漢字候補表示領域３５に表示されている漢字候補から所望の漢字である「藷」をタッチペン８でタッチすると、電子辞書装置はその漢字である「藷」に対する図１３と同じ詳細情報が表示部３に表示させる。
【００７６】
図２６は、第２の実施形態である電子辞書装置１の見出し語である漢字を入力する際のフローチャートである。図１７で説明した漢和辞書キーを押下する操作によって、ステップＢ１の処理が行われる。ステップＢ１では、使用者によって漢和辞書キーが入力されると、ＣＰＵ１０は、表示部３に漢字辞書モードの初期画面を表示させる。
【００７７】
図１８、図２０および図２２で説明した漢字構成部分を手書き入力する操作によって、ステップＢ２からステップＢ７の処理が行われる。ステップＢ２では、使用者によって手書き入力領域３０上のタッチパネルに漢字構成部分が手書き入力されると、タッチパネルは、手書き入力された漢字構成部分を座標に変換する。手書き認識部１１は、変換された座標から入力イメージを作成する。ステップＢ３では、使用者によって決定キーが入力されると、ＣＰＵ１０は作成された入力イメージをＲＡＭ１３に保存させる。ステップＢ４では、ＣＰＵ１０は保存された入力イメージとＲＯＭ１２にあらかじめ記憶した漢字構成部分のイメージとを比較し、その比較結果に基づいて、漢字構成部分の候補を抽出させる。ステップＢ５では、漢字構成部分の候補が抽出されれば、ステップＢ６に進む。漢字構成部分の候補が抽出されなければ、ステップＢ１８に進み、ＣＰＵ１０は、表示部３に“認識できません”と表示させる。その後、ステップＢ２に戻る。ステップＢ６では、ＣＰＵ１０は漢字構成部分の候補をＲＡＭ１３に保存させる。ステップＢ７では、ＣＰＵ１０は、保存された漢字構成部分の候補を漢字構成部分候補表示領域３１に表示させる。
【００７８】
図１９、図２１および図２３で説明した漢字構成部分を移動する操作によって、ステップＢ８およびステップＢ９の処理が行われる。ステップＢ８では、使用者によって、漢字構成部分を表示された漢字構成部分の候補からタッチペン８を用いてドラッグもしくはタッチして移動させることによって、漢字構成部分を選択させると、ＣＰＵ１０は、移動された漢字構成部分の位置に基づいて、漢字構成部分の位置情報を決定し、漢字構成部分を作成領域３４に表示させる。ステップＢ９では、ＣＰＵ１０は、手書き入力領域３０および漢字構成部分候補表示領域３１の表示を消去する。つまり、電子辞書装置は新たに手書き入力領域３０に手書き入力させることができる状態になる。
【００７９】
図２４で説明した検索キーを押下する操作によって、ステップＢ１０からステップＢ１４の処理が行われる。図２４で説明した操作はステップＢ１０からステップＢ１４の処理である。ステップＢ１０では、使用者によって検索キーが入力されれば、ＣＰＵ１０は表示された漢字構成部分をＲＡＭ１３に保存させ、ステップＢ１１に進む。使用者によって検索キーが入力されなければ、ステップＢ２に戻る。ステップＢ１１では、ＣＰＵ１０は、保存された漢字構成部分および決定された位置情報と、ＲＯＭ１２にあらかじめ記憶した漢字情報とを比較して、その比較結果に基づいて、漢字の候補を抽出させる。ステップＢ１２では、漢字の候補が抽出されれば、ステップＢ１３に進む。漢字の候補が抽出されなければ、ステップＢ１９に進み、ＣＰＵ１０は、表示部３に“該当漢字無し”と表示させる。その後、ステップＢ２に戻る。ステップＢ１３では、ＣＰＵ１０は、抽出された漢字の候補をＲＡＭ１３に保存させる。ステップＢ１４では、ＣＰＵ１０は、保存された漢字の候補を漢字候補表示領域３５に表示させる。
【００８０】
図２５で説明した漢字を選択する操作によって、ステップＢ１５からステップＢ１７の処理が行われる。ステップＢ１５では、使用者によって漢字候補の中から漢字を選択されれば、ステップＢ１６に進む。漢字を選択されなければ、ステップＢ２に戻る。ステップＢ１６では、ＣＰＵ１０は、選択された漢字に基づいてＲＯＭ１２にあらかじめ記憶した詳細情報から漢字の詳細情報を読み出させる。ステップＢ１７では、ＣＰＵ１０は、図１３に示したように読み出された詳細情報を表示部３に表示させる。
【００８１】
以上のように、本発明の第２の実施形態である１つの手書き入力領域３０を有する電子辞書装置についても、本発明の第１の実施形態である複数の手書き入力領域２０を有する電子辞書装置と同様に、「読み」が不明であり形もはっきりと覚えていない漢字を容易に入力することができ、さらに認識率の向上した電子機器を提供することができる。
【００８２】
また、本発明は、漢字情報に漢字構成部分の位置情報を含まないような実施形態であってもよい。漢字情報に、漢字とその漢字を構成する漢字構成部分の情報が含まれており、選択された漢字構成部分と漢字情報とを比較すれば、上記に記載した電子辞書装置と同様に漢字を入力させることができる。
【００８３】
さらに、本発明は、漢字に関連付けられた詳細情報をＲＯＭ１２に記憶していないような実施形態であってもよい。すなわち、本発明の実施形態は、漢字の詳細情報を表示することができる電子辞書装置に限らず、漢字を入力することができる電子機器であればよい。
【図面の簡単な説明】
【００８４】
【図１】本発明の実施の一形態である電子辞書装置１の外観図である。
【図２】電子辞書装置１の電気的構成を示すブロック図である。
【図３】第１の実施形態である電子辞書装置１における漢和辞書モードの初期画面の表示例である。
【図４】第１の漢字構成部分の候補を漢字構成部分候補表示領域２１ａに表示する操作を説明する図である。
【図５】第２の漢字構成部分の候補を漢字構成部分候補表示領域２１ｂに表示する操作を説明する図である。
【図６】第３の漢字構成部分の候補を漢字構成部分候補表示領域２１ｃに表示する操作を説明する図である。
【図７】第１の漢字構成部分を漢字構成部分候補表示領域２１ａから作成領域２４へ移動する操作を説明する図である。
【図８】作成領域２４を拡大した概念図である。
【図９】第２の漢字構成部分を漢字構成部分候補表示領域２１ｂから作成領域２４へ移動する操作を説明する図である。
【図１０】第３の漢字構成部分を漢字構成部分候補表示領域２１ｃから作成領域２４へ移動する操作を説明する図である。
【図１１】漢字候補表示領域２５に漢字の候補を表示する操作を説明する図である。
【図１２】漢字候補表示領域２５に表示されている見出し語である漢字の詳細情報を表示する方法を説明する図である。
【図１３】表示部３に見出し語である漢字の詳細情報を表示させた表示例の一例である。
【図１４】漢字候補表示領域２５に漢字候補を表示する操作を説明する図である。
【図１５】漢字候補表示領域２５に表示されている見出し語である漢字の詳細情報を表示する方法を説明する図である。
【図１６】第１の実施形態である電子辞書装置１の見出し語である漢字を入力する際のフローチャートである。
【図１７】第２の実施形態である電子辞書装置１における漢和辞書モードの初期画面の表示例である。
【図１８】第１の漢字構成部分の候補を漢字構成部分候補表示領域３１に表示する操作を説明する図である。
【図１９】第１の漢字構成部分を漢字構成部分候補表示領域３１から作成領域３４へ移動する操作を説明する図である。
【図２０】第２の漢字構成部分の候補を漢字構成部分候補表示領域３１に表示する操作を説明する図である。
【００８５】
【図２１】第２の漢字構成部分を漢字構成部分候補表示領域３１から作成領域３４へ移動する操作を説明する図である。
【図２２】第３の漢字構成部分の候補を漢字構成部分候補表示領域３１に表示する操作を説明する図である。
【図２３】第３の漢字構成部分を漢字構成部分候補表示領域３１から作成領域３４へ移動する操作を説明する図である。
【図２４】漢字候補表示領域３５に漢字候補を表示する操作を説明する図である。
【図２５】漢字候補表示領域３５に表示されている漢字の詳細情報を表示する方法を説明する図である。
【図２６】第２の実施形態である電子辞書装置１の漢字を入力する際のフローチャートである。
【符号の説明】
【００８６】
１  電子辞書装置
２  装置本体
３  表示部
４  ファンクションキー
５  文字キー
６  電源キー
７  検索キー
８  タッチペン
１０  ＣＰＵ
１１  手書き認識部
１２  ＲＯＭ
１３  ＲＡＭ
１４  表示制御部
１５  入力制御部
１６  マイクロプロセッサ
１８  キー入力部
１９  タッチパネル
２０，２０ａ，２０ｂ，２０ｃ，３０  手書き入力領域
２１，２１ａ，２１ｂ，２１ｃ，３１  漢字構成部分候補表示領域
２２，３２  決定キー
２３，３３  検索キー
２４，３４  作成領域
２５，３５  漢字候補表示領域
２６，２６ａ，２６ｂ，２６ｃ，２７，３６，３７  スクロールボタン
２８ａ，２８ｂ，２８ｃ，２８ｄ，２８ｅ，２８ｆ，２８ｇ，２８ｈ，２８ｉ  認識領域
【図１】
0004646512.tif 000002
【図２】
0004646512.tif 000003
【図３】
0004646512.tif 000004
【図４】
0004646512.tif 000005
【図５】
0004646512.tif 000006
【図６】
0004646512.tif 000007
【図７】
0004646512.tif 000008
【図８】
0004646512.tif 000009
【図９】
0004646512.tif 000010
【図１０】
0004646512.tif 000011
【図１１】
0004646512.tif 000012
【図１２】
0004646512.tif 000013
【図１３】
0004646512.tif 000014
【図１４】
0004646512.tif 000015
【図１５】
0004646512.tif 000016
【図１６】
0004646512.tif 000017
【図１７】
0004646512.tif 000018
【図１８】
0004646512.tif 000019
【図１９】
0004646512.tif 000020
【図２０】
0004646512.tif 000021
【図２１】
0004646512.tif 000022
【図２２】
0004646512.tif 000023
【図２３】
0004646512.tif 000024
【図２４】
0004646512.tif 000025
【図２５】
0004646512.tif 000026
【図２６】
0004646512.tif 000027